(57)【要約】      （修正有）【課題】ドレン管の凍結を防止するドレン管ヒータの消費電力を軽減する。【解決手段】空気調和装置に、室内機２の熱交換器２１で生じるドレン水を壁体Ｗの室外側に排出するドレン管２３と、壁体Ｗと熱交換器２１との間でドレン管２３に密着して配設され、冷却運転時に熱交換器２１に冷媒を流入させる冷媒用配管１１と、ドレン管２３を加温するドレン管ヒータ２４と、冷媒用配管１１内を循環する冷媒の冷媒温度を検出する冷媒温度センサ３６と、ドレン管ヒータ２４の駆動又は停止を切り換えるドレン管ヒータ回路２５と、検出された冷媒温度が氷点下であるときはドレン管ヒータ２４を駆動するように、氷点下でないときはドレン管ヒータ２４を停止するように、ドレン管ヒータ回路２５に切り換えさせるヒータ制御部４１と、を備える。【選択図】図１
2013024519.tif 000002
【特許請求の範囲】
【請求項１】
当該室内機（２）の熱交換器（２１）で生じるドレン水を壁体（Ｗ）の室外側に排出するドレン管（２３）と、
前記壁体（Ｗ）と前記熱交換器（２１）との間において前記ドレン管（２３）に対して密着して配設され、冷却運転時に前記熱交換器（２１）に冷媒を流入させる冷媒用配管（１１）と、
前記ドレン管（２３）を加温するドレン管ヒータ（２４）と、
前記冷媒用配管（１１）内を循環する冷媒の冷媒温度を検出する冷媒温度センサ（３６）と、
前記ドレン管ヒータ（２４）の駆動又は停止を切り換えるドレン管ヒータ回路（２５）と、
前記冷媒温度センサ（３６）で検出された冷媒温度が氷点下であるときは、前記ドレン管ヒータ（２４）を駆動するように前記ドレン管ヒータ回路（２５）に切り換えさせ、前記冷媒温度センサ（３６）で検出された冷媒温度が氷点下でないときは、前記ドレン管ヒータ（２４）を停止するように前記ドレン管ヒータ回路（２５）に切り換えさせるヒータ制御部（４１）と、
を備えた空気調和装置。
【請求項２】
前記ドレン管ヒータ回路（２５）に前記ドレン管ヒータ（２４）を駆動させるか又は停止させるかの指示を入力する駆動指示入力部を更に備え、
前記ヒータ制御部（４１）は、前記冷媒温度センサ（３６）で検出された冷媒温度が氷点下でないときに、前記ドレン管ヒータ（２４）を停止するように前記ドレン管ヒータ回路（２５）に切り換えさせる制御において、前記冷媒温度センサ（３６）で検出された冷媒温度が前記露点温度未満であって氷点下でない場合に、前記駆動指示入力部に前記指示が入力されたときは、当該入力された指示に応じて、前記ドレン管ヒータ回路（２５）に前記ドレン管ヒータ（２４）の駆動又は停止を切り換えさせる請求項１に記載の空気調和装置。
【請求項３】
前記ヒータ制御部（４１）は、前記冷媒温度センサ（３６）で検出された冷媒温度が予め定められた露点温度以上の場合に、前記ドレン管ヒータ（２４）を停止するように前記ドレン管ヒータ回路（２５）に切り換えさせる請求項２に記載の空気調和装置。
【発明の詳細な説明】
【技術分野】
【０００１】
本発明は、空気調和装置に関し、特に、室内機の熱交換器で生じるドレン水を排出するドレン管の凍結を防止する技術に関する。
【背景技術】
【０００２】
従来から、室内機の熱交換器で生じる凝縮水（ドレン水）を排出するドレン管の凍結を防止するために、ドレン管に取り付けられた電気ヒータ（ドレン管ヒータ）によってドレン管を加温する技術が開示されている。例えば、下記特許文献１には、冷凍冷蔵庫の排水用ホースに取り付けられた凍結防止用のホースヒータに通電して、当該排水用ホースの凍結を防止する技術が記載されている。
【先行技術文献】
【特許文献】
【０００３】
【特許文献１】実開昭５８−００８０８５号公報
【発明の概要】
【発明が解決しようとする課題】
【０００４】
しかしながら、上記従来技術では、ドレン管（排水用ホース）の凍結を防止するためには、室内機（冷凍冷蔵庫）とは別にドレン管ヒータ（ホースヒータ）に通電して、当該ドレン管ヒータを駆動する必要があった。このため、省エネルギー化の観点から、ドレン管ヒータによる消費電力を軽減する余地があった。
【０００５】
そこで、本発明は、このような事情に鑑みてなされたものであり、ドレン水を排出するドレン管の凍結を防止するドレン管ヒータの消費電力を軽減することができる空気調和装置を提供することを目的とする。
【課題を解決するための手段】
【０００６】
請求項１に記載の発明は、当該室内機（２）の熱交換器（２１）で生じるドレン水を壁体（Ｗ）の室外側に排出するドレン管（２３）と、
前記壁体（Ｗ）と前記熱交換器（２１）との間において前記ドレン管（２３）に対して密着して配設され、冷却運転時に前記熱交換器（２１）に冷媒を流入させる冷媒用配管（１１）と、
前記ドレン管（２３）を加温するドレン管ヒータ（２４）と、
前記冷媒用配管（１１）内を循環する冷媒の冷媒温度を検出する冷媒温度センサ（３６）と、
前記ドレン管ヒータ（２４）の駆動又は停止を切り換えるドレン管ヒータ回路（２５）と、
前記冷媒温度センサ（３６）で検出された冷媒温度が氷点下であるときは、前記ドレン管ヒータ（２４）を駆動するように前記ドレン管ヒータ回路（２５）に切り換えさせ、前記冷媒温度センサ（３６）で検出された冷媒温度が氷点下でないときは、前記ドレン管ヒータ（２４）を停止するように前記ドレン管ヒータ回路（２５）に切り換えさせるヒータ制御部（４１）と、
を備えた空気調和装置である。
【０００７】
この発明では、冷却運転時に室内機（２）の熱交換器（２１）に冷媒を流入させる冷媒用配管（１１）が、壁体（Ｗ）と熱交換器（２１）との間においてドレン管（２３）に対して密着して配設されているため、冷媒温度センサ（３６）で検出された冷媒温度が氷点下でないときは、冷媒用配管（１１）からの伝熱でドレン管（２３）を加温することができる。
【０００８】
また、冷媒用配管（１１）を循環する冷媒の冷媒温度が氷点下の場合は、冷媒用配管（１１）に密着して配設されたドレン管（２３）が凍結する虞が高まるが、この場合、ヒータ制御部（４１）によって、ドレン管ヒータ（２４）を駆動するようにドレン管ヒータ回路（２５）が切り換えられるため、ドレン管ヒータ（２４）によるドレン管（２３）の加温によってドレン管（２３）の凍結を防止することができる。
【０００９】
このため、ドレン管ヒータ（２４）の駆動を軽減して、ドレン管ヒータ（２４）の消費電力を軽減することができる。
【００１０】
また、請求項２に記載の発明は、請求項１に記載の空気調和装置であって、前記ドレン管ヒータ回路（２５）に前記ドレン管ヒータ（２４）を駆動させるか又は停止させるかの指示を入力する駆動指示入力部を更に備え、
前記ヒータ制御部（４１）は、前記冷媒温度センサ（３６）で検出された冷媒温度が氷点下でないときに、前記ドレン管ヒータ（２４）を停止するように前記ドレン管ヒータ回路（２５）に切り換えさせる制御において、前記冷媒温度センサ（３６）で検出された冷媒温度が前記露点温度未満であって氷点下でない場合に、前記駆動指示入力部に前記指示が入力されたときは、当該入力された指示に応じて、前記ドレン管ヒータ回路（２５）に前記ドレン管ヒータ（２４）の駆動又は停止を切り換えさせる。
【００１１】
この発明では、ヒータ制御部（４１）による、冷媒温度センサ（３６）で検出された冷媒温度が氷点下でないときに、ドレン管ヒータ（２４）を停止するようにドレン管ヒータ回路（２５）に切り換えさせる制御において、冷媒温度が予め定められた露点温度未満であって氷点下でない場合に、ドレン管ヒータ（２４）を駆動させることによって加温されたドレン管（２３）からの伝熱で冷媒用配管（１１）の結露を防止するか、又は、ドレン管ヒータ（２４）を停止させることによってドレン管（２３）からの伝熱で冷媒温度を高めてしまうことを回避して、熱交換器（２１）における熱変換効率を維持するかを、ユーザーの要望に応じて切り換えることができる。
【００１２】
また、請求項３に記載の発明は、請求項２に記載の空気調和装置であって、前記ヒータ制御部（４１）は、前記冷媒温度センサ（３６）で検出された冷媒温度が予め定められた露点温度以上の場合に、前記ドレン管ヒータ（２４）を停止するように前記ドレン管ヒータ回路（２５）に切り換えさせる。
【００１３】
この発明では、冷媒温度が予め定められた露点温度以上の場合は、ヒータ制御部（４１）によって、ドレン管ヒータ（２４）を停止するようにドレン管ヒータ回路（２５）が切り換えられるため、冷媒用配管（１１）からの伝熱でドレン管（２３）を加温することによって、ドレン管ヒータ（２４）による消費電力を節約しつつドレン管（２３）の凍結を防止することができる。
【発明の効果】
【００１４】
本発明によれば、ドレン水を排出するドレン管の凍結を防止するドレン管ヒータの消費電力を軽減することができる空気調和装置を提供することが可能になる。
【図面の簡単な説明】
【００１５】
【図１】本発明に係る空気調和装置の構成の一例を示す概略構成図。
【図２】ドレン管と冷媒用配管が密着して配設されている部分の一例を示す説明図。
【図３】ヒータ制御部によるドレン管ヒータの駆動制御の一例を示すフローチャート。
【発明を実施するための形態】
【００１６】
以下、本発明の一実施形態に係る空気調和装置について図面を参照して説明する。図１に示すように、空気調和装置１は、室内機２と、室外機３と、制御部４と、を備えている。
【００１７】
また、空気調和装置１は、ガス冷媒配管１２と、液冷媒配管１１と、を備え、室内機２と室外機３とを液冷媒配管１１及びガス冷媒配管１２で接続してなる冷媒回路１０を有している。
【００１８】
ここで、ガス冷媒配管１２は、室外機３に配設された四路切換弁３３及び圧縮機３４を介して、室内機２に配設された熱交換器２１と室外機３に配設された熱交換器３１とを接続し、室内機２の冷却運転時に熱交換器２１で蒸発されたガス冷媒を循環させるための冷媒用配管を示す。
【００１９】
液冷媒配管１１は、室外機３に配設された膨張弁３５を介して、熱交換器２１と熱交換器３１とを接続し、室内機２の冷却運転時に熱交換器３１で凝縮された液冷媒を循環させる冷媒用配管を示す。
【００２０】
尚、以下では説明のため、室内機２と室外機３との間のガス冷媒配管１２側の配管をガス側連絡管１４と示し、室内機２と室外機３との間の液冷媒配管１１側の配管を液側連絡管１３と示すものとする。
【００２１】
室内機２は、熱交換器２１と、送風機２２と、ドレン管２３と、ドレン管ヒータ２４と、ドレン管ヒータ回路２５と、を備えている。
【００２２】
熱交換器２１は、例えば、クロスフィン式のフィン・アンド・チューブ型熱交換器により構成され、液冷媒配管１１又はガス冷媒配管１２から流入される冷媒と室内空気とを熱交換する。送風機２２は、熱交換器２１に対して室内空気を送風する。
【００２３】
ドレン管２３は、熱交換器２１の下方に設けられた図略のドレンパンに設けられた排出口から建屋壁Ｗを貫通して屋外に至るまで配設された、ドレンパンに貯留された熱交換器２１で生じたドレン水を屋外に排出するための配管である。
【００２４】
ドレン管ヒータ２４は、通電によって加熱される電気ヒータである。具体的には、図２に示すように、ドレン管ヒータ２４は、ドレン管２３の内壁に配設され、ドレン管２３の内部からドレン管２３を加温する。尚、ドレン管ヒータ２４が、ドレン管２３に配設される形態をこれに限定する趣旨ではなく、例えば、ドレン管２３の外壁に密着して取り付けられる形態であってもよい。
【００２５】
また、室内機２と建屋壁Ｗとの間においては、ドレン管２３と液側連絡管１３とが密着するように配置され、更に、例えば発泡スチロール（発泡ポリスチレン）等から成る防熱材５２で覆われている。例えば、ドレン管２３と液側連絡管１３は、粘着テープ５１によって接合されることで密着するように配置されている。ただし、ドレン管２３と液側連絡管１３とが密着するように配置される形態をこれに限定する趣旨ではなく、例えば、ドレン管２３と液側連絡管１３とが粘着テープ５１によって接合されていない形態であってもよい。
【００２６】
ドレン管ヒータ回路２５は、ドレン管ヒータ２４と、図略の電源装置と、に両端が接続されるスイッチを備えている。当該スイッチは、後述するヒータ制御部４１によってオン／オフが切り替えられる。つまり、当該スイッチのオン／オフが切り替えられることによって、ドレン管ヒータ２４への通電又は当該通電の停止が切り替えられ、ドレン管ヒータ２４の駆動又は停止が切り替えられる。
【００２７】
室外機３は、四路切換弁３３と、圧縮機３４と、熱交換器３１と、送風機３２と、膨張弁３５と、冷媒温度センサ３６と、を備えている。
【００２８】
四路切換弁３３は、圧縮機３４の吐出側に接続する吐出ポートＰ１、２つの切替ポートＰ２，Ｐ３、及び圧縮機３４の吸入側に接続する吸入ポートＰ４を有し、ポートＰ１とポートＰ２が連通し、かつ、ポートＰ３とポートＰ４が連通する状態（図１に実線で示す状態）と、ポートＰ１とポートＰ３が連通し、かつ、ポートＰ２とポートＰ４が連通する状態（図１に一点鎖線で示す状態）とに切り替わる。つまり、制御部４による四路切換弁３３の切り替え動作によって、冷却運転であるか加熱運転であるかに応じて適宜冷媒の循環方向が切り替えられる。
【００２９】
圧縮機３４は、例えば、図略の圧縮機構と当該圧縮機構を駆動する図略の電動機とを円筒状のハウジングに収納して構成された密閉型のスクロール圧縮機であり、制御部４によって電動機の回転数が段階的に又は連続的に変更されて、その容量が可変に構成されている。
【００３０】
熱交換器３１は、例えば、クロスフィン式のフィン・アンド・チューブ型熱交換器により構成され、液冷媒配管１１又はガス冷媒配管１２から流入される冷媒と室外空気とを熱交換する。送風機３２は、室外機３の側面に設けられた吸気口から室外空気を吸入し、熱交換器３１に対して当該吸入した室外空気を送風する。
【００３１】
膨張弁３５は、制御部４によって所定の開度に調整され、液冷媒配管１１内を循環する冷媒を減圧する。冷媒温度センサ３６は、液冷媒配管１１内を循環する冷媒の温度（液温）を検出し、当該検出した液温を示す制御信号を制御部４に出力する。
【００３２】
制御部４は、例えば、ＣＰＵやＲＯＭやＲＡＭ等のメモリを備えたマイクロコンピュータで構成され、室内機２及び室外機３に備えられた各装置の動作を制御して、室内機２及び室外機３の運転を制御する。
【００３３】
特に、制御部４は、ドレン管ヒータ回路２５にドレン管ヒータ２４の駆動又は停止を切り替えさせることによってドレン管ヒータ２４の駆動を制御するヒータ制御部４１、及び、リモコンや室内機２及び室外機３に設けられた操作ボタン等のユーザーによる操作によって入力された、室内機２及び室外機３の運転に係る各種指示を受け付ける指示受付部４２として機能する。
【００３４】
次に、空気調和装置１の運転動作を説明する。空気調和装置１の運転時には、冷媒回路１０において冷媒が相変化しつつ循環して蒸気圧縮式の冷凍サイクルが行われる。
【００３５】
空気調和装置１の冷却運転時には、熱交換器２１は蒸発器として機能し、冷媒を室内空気から吸熱させて蒸発させる。これにより、室内空気が冷却される。蒸発された冷媒は、ガス側連絡管１４から室外機３に流入される。室外機３に流入された冷媒は、制御部４によって図１に実線で示す状態に切り替えられた四路切換弁３３を介して、圧縮機３４に吸入される。そして、圧縮機３４によって圧縮された冷媒は、四路切換弁３３を介して、熱交換器３１へ流入される。熱交換器３１は凝縮器として機能し、冷媒を室外空気へ放熱させて凝縮させる。凝縮された冷媒は、膨張弁３５で減圧されて低温低圧状態となり、液側連絡管１３から室内機２の熱交換器２１に流入される。空気調和装置１の冷却運転時には、このように冷媒の循環が繰り返される。
【００３６】
空気調和装置１の加熱運転時には、熱交換器２１は凝縮器として機能し、冷媒を室内空気へ放熱させて凝縮させる。これにより、室内空気が加熱される。凝縮された冷媒は、液側連絡管１３から室外機３に流入される。室外機３に流入された冷媒は、膨張弁３５で減圧されて低温低圧状態となり、熱交換器３１へ流入される。熱交換器３１は蒸発器として機能し、冷媒を室外空気から吸熱させて蒸発させる。蒸発された冷媒は、制御部４によって図１に一点鎖線で示す状態に切り替えられた四路切換弁３３を介して、圧縮機３４に吸入される。そして、圧縮機３４によって圧縮された冷媒は、四路切換弁３３を介して、ガス側連絡管１４から室内機２の熱交換器２１に流入される。空気調和装置１の加熱運転時には、このように冷媒の循環が繰り返される。
【００３７】
以下では、ヒータ制御部４１によるドレン管ヒータ２４の駆動の制御の流れについて説明する。
【００３８】
図３に示すように、例えば、リモコン等を用いてユーザーによって入力された空気調和装置１の冷却運転を開始する指示が指示受付部４２によって受け付けられると、制御部４は、冷却運転を開始する。
【００３９】
空気調和装置１の冷却運転が開始されると、ヒータ制御部４１は、冷媒温度センサ３６で検出された液温が予め定められた露点温度よりも大きいか否かを判断する（Ｓ１）。尚、ここにいう予め定められた露点温度は、空気調和装置１の試験運転等の実験値に基づいて、液側連絡管１３に結露を生じさせる温度として予め定められ、制御部４に備えられたＲＯＭ等のメモリに予め記憶されている。
【００４０】
ヒータ制御部４１は、冷媒温度センサ３６で検出された液温が露点温度よりも高いと判断した場合（Ｓ１；ＹＥＳ）、ドレン管ヒータ２４の駆動を停止させるために、ドレン管ヒータ回路２５に備えられたスイッチをオフして、ドレン管ヒータ２４への通電を停止させる（Ｓ２）。
【００４１】
つまり、冷媒温度センサ３６で検出された液温が予め定められた露点温度以上の場合、ヒータ制御部４１は、ドレン管ヒータ２４を停止するようにドレン管ヒータ回路２５を切り換えて、液側連絡管１３からの伝熱で液側連絡管１３に密着して配設されているドレン管２３を加温することによって、ドレン管ヒータ２４による消費電力を節約しつつドレン管２３の凍結を防止することができる。
【００４２】
一方、ヒータ制御部４１は、ステップＳ１において、冷媒温度センサ３６で検出された液温が露点温度よりも高くないと判断した場合（Ｓ１；ＮＯ）、更に、冷媒温度センサ３６で検出された液温が氷点下であるか否かを判断する（Ｓ３）。
【００４３】
ここで、ヒータ制御部４１は、冷媒温度センサ３６で検出された液温が氷点下であると判断すると（Ｓ３；ＹＥＳ）、ドレン管ヒータ２４を駆動させるために、ドレン管ヒータ回路２５に備えられたスイッチをオンして、ドレン管ヒータ２４へ通電させる（Ｓ４）。これにより、ヒータ制御部４１は、氷点下の液温で冷却された液側連絡管１３によって、液側連絡管１３に密着して配設されているドレン管２３が凍結されるのを防止することができる。
【００４４】
尚、ヒータ制御部４１は、ステップＳ３において、冷媒温度センサ３６で検出された液温が氷点下ではないと判断すると（Ｓ３；ＮＯ）、つまり、冷媒温度センサ３６で検出された液温が露点温度以下であって氷点下でないときは、更に、ドレン管ヒータ２４を駆動させる指示（ヒータ駆動指示）が入力されているか否かを判断する（Ｓ５）。
【００４５】
ここでヒータ駆動指示は、例えば、ドレン管ヒータ回路２５にドレン管ヒータ２４を駆動させるか又は停止させるかの指示を入力するためのボタンがリモコンに設けられ、当該ドレン管ヒータ２４を駆動させる指示を入力するためのボタンがユーザーによって押下されることによって入力される。つまり、当該ボタンによって、本発明に係る駆動指示入力部の一例が構成されている。
【００４６】
図３に戻り、ヒータ制御部４１は、例えば指示受付部４２によってヒータ駆動指示の入力が受け付けられたことを以って、ヒータ駆動指示が入力されていると判断すると（Ｓ５；ＹＥＳ）、ドレン管ヒータ２４を駆動させるために、ドレン管ヒータ回路２５に備えられたスイッチをオンして、ドレン管ヒータ２４へ通電させる（Ｓ６）。
【００４７】
つまり、ヒータ制御部４１は、冷媒温度センサ３６で検出された液温が予め定められた露点温度未満であって氷点下でない場合に、ヒータ駆動指示が入力されているときは、ドレン管ヒータ２４によって加温されたドレン管２３からの伝熱で液側連絡管１３を加温して、液側連絡管１３に結露が生じることを防止することができる。
【００４８】
一方、ヒータ制御部４１は、ステップＳ５において、例えば、上記のようにリモコンに設けられたドレン管ヒータ２４を停止させる指示を入力するためのボタンが押下され、指示受付部４２によって当該停止させる指示の入力が受け付けられたことを以って、ヒータ駆動指示が入力されていないと判断すると（Ｓ５；ＮＯ）、ドレン管ヒータ２４の駆動を停止させるために、ドレン管ヒータ回路２５に備えられたスイッチをオフして、ドレン管ヒータ２４への通電を停止させる（Ｓ７）。
【００４９】
つまり、ヒータ制御部４１は、冷媒温度センサ３６で検出された液温が予め定められた露点温度未満であって氷点下でない場合に、ヒータ駆動指示が入力されていないときは、ドレン管ヒータ２４を停止させることによってドレン管２３からの伝熱で冷媒温度を高めることを回避して、熱交換器２１における熱変換効率を維持することができる。
【００５０】
尚、ヒータ駆動指示は、上記のようにユーザーに入力させるまでもなく、ドレン管ヒータ２４を駆動させるか又は停止させるかの何れかを示すデータを制御部４に備えられたＲＯＭ等のメモリに予め記憶しておき、これに合わせて、ヒータ制御部４１は、ステップＳ５において、メモリに予め記憶されている当該データがドレン管ヒータ２４を駆動させることを示すか又は停止させることを示すかを以って、ヒータ駆動指示の入力可否を判断するように構成してもよい。
【００５１】
また、ステップＳ５の処理を行わないように簡易に構成して、ヒータ制御部４１は、ステップＳ３において、冷媒温度センサ３６で検出された液温が氷点下ではないと判断すると（Ｓ３；ＮＯ）、無条件にステップＳ７の処理を実行するように構成してもよい。
【００５２】
図３に戻り、ヒータ制御部４１は、ステップＳ２、ステップＳ４、ステップＳ６又はステップＳ７の処理を実行後、空気調和装置１の冷却運転を終了する指示が入力されているか否かの判断を行う（Ｓ８）。
【００５３】
ヒータ制御部４１は、ステップＳ８において、例えば、リモコン等を用いてユーザーによって入力された空気調和装置１の冷却運転を終了する指示が指示受付部４２によって受け付けられたことを以って、空気調和装置１の冷却運転を終了する指示が入力されていると判断すると（Ｓ８；ＹＥＳ）、ドレン管ヒータ２４の駆動制御を終了する。その後、制御部４によって、空気調和装置１の冷却運転が終了される。
【００５４】
一方、ヒータ制御部４１は、ステップＳ８において、例えば、指示受付部４２によって空気調和装置１の冷却運転を終了する指示が受け付けられないことを以って、空気調和装置１の冷却運転を終了する指示が入力されていないと判断すると（Ｓ８；ＮＯ）、再びステップＳ１以降の処理を実行する。
【００５５】
以上、本発明に係る空気調和装置の実施形態について説明したが、本発明に係る空気調和装置は、上記の実施形態に限定されるものではなく、その趣旨を逸脱しない範囲で種々変更、改良等が可能である。また、上記図１乃至図３に示した構成及び処理は、本発明に係る実施形態の例示に過ぎず、本発明を当該実施形態に限定する趣旨ではない。
【符号の説明】
【００５６】
１    空気調和装置
１１  液冷媒配管（冷媒用配管）
１２  ガス冷媒配管（冷媒用配管）
１３  液側連絡管（冷媒用配管）
１４  ガス側連絡管（冷媒用配管）
２    室内機
２１  熱交換器（室内機）
２２  送風機（室内機）
２３  ドレン管
２４  ドレン管ヒータ
２５  ドレン管ヒータ回路
３    室外機
３１  熱交換器（室外機）
３２  送風機（室外機）
３３  四路切換弁
３４  圧縮機
３５  膨張弁
３６  冷媒温度センサ
４    制御部
４１  ヒータ制御部
５２  防熱材
【図１】
2013024519.tif 000003
【図２】
2013024519.tif 000004
【図３】
2013024519.tif 000005